(57)【要約】【課題】  箱体上面でのフラップの固定状態の維持が確実に行われ、なお且つ箱体の組立が容易な包装用箱。【解決手段】  包装用箱は、箱体の対向する一対の側面を構成する側パネル１、１と、箱体の対向する一対の端面を構成する端パネル２、２とを有し、前記側パネル１、１から延設された側上フラップ４、４と前記端パネル２、２から延設された端上フラップ５、５とを箱体の上面側に折り曲げて箱体の上面の周囲の部分が閉じられると共に、これら側上フラップ４、４と前記端パネル２、２との間の箱体の上面中央部分が部分的に開いている。端上フラップ５、５の両側に設けた切込み９、９に側上フラップ４、４の両端から延設したタブ８、８を挿入して端上フラップ５、５の両側に側上フラップ４、４の両端を固定し、端上フラップ５、５の切込み９、９を切り出すことにより設けた押えタブ１１、１１で前記側上フラップ４、４のタブ８、８を箱体の内側で押えている。【選択図】      図１
2006021807.tif 000002
【特許請求の範囲】
【請求項１】
箱体の対向する一対の側面を構成する側パネル（１）、（１）と、箱体の対向する一対の端面を構成する端パネル（２）、（２）とを有し、前記側パネル（１）、（１）から延設された側上フラップ（４）、（４）と前記端パネル（２）、（２）から延設された端上フラップ（５）、（５）とを箱体の上面側に折り曲げて箱体の上面の周囲の部分が閉じられると共に、これら側上フラップ（４）、（４）と前記端パネル（２）、（２）との間の箱体の上面中央部分が部分的に開いている包装用箱において、端上フラップ（５）、（５）の両側に設けた切込み（９）、（９）に側上フラップ（４）、（４）の両端から延設したタブ（８）、（８）を挿入して端上フラップ（５）、（５）の両側に側上フラップ（４）、（４）の両端を固定し、端上フラップ（５）、（５）の切込み（９）、（９）により切り出した部分に設けた押えタブ（１１）、（１１）で前記側上フラップ（４）、（４）のタブ（８）、（８）を箱体の内側で押えることを特徴とする包装用箱。
【請求項２】
端上フラップ（５）、（５）の中央から延設された折り返しフラップ（１０）、（１０）を箱体の内側に折り返し、この折り返しフラップ（１０）、（１０）で側上フラップ（４）、（４）のタブ（８）、（８）を箱体の内側で押えることを特徴とする請求項１に記載の包装用箱。
【発明の詳細な説明】
【技術分野】
【０００１】
本発明は、箱体の対向する一対の側面を構成する側パネルと、箱体の対向する一対の端面を構成する端パネルとを有し、前記側パネルから延設された側上フラップと前記端パネルから延設された端上フラップとを箱体の上面側に折り曲げて箱体の上面が閉じられる包装用箱に関し、特に前記側上フラップと前記端パネルとの間の箱体の上面中央部分が部分的に開いている包装用箱に関する。
【背景技術】
【０００２】
従来におけるこの種の包装用箱のブランクは、段ボール板を打ち抜くと共に折線を入れて作られている。このブランクにおいては、一対の側パネルと端パネルとが折線を介して交互に連ねられている。また、側パネルと端パネルの上下の辺は折線となっており、その折線から箱体の上面と底面を閉じる上下のフラップが延設されている。
【０００３】
このような包装用箱において、箱体の底面側は、端パネルの下辺側の折線から延設された端底フラップと側パネルの下辺側の折線から延設された側底フラップとを順次箱体の上面側に折り曲げ、それら端底フラップと側底フラップとをフラップ同士の係合、接着、或いはステープル止め等の手段で固定する。また、箱体の上面側も同様で、端パネルの上辺側の折線から延設された端上フラップと側パネルの上辺側の折線から延設された側上フラップとを順次箱体の上面側に折り曲げ、それら端上フラップと側上フラップとを互いに固定して閉じる。
【０００４】
このような包装用箱では、通常は箱体の底面を閉じた状態で箱体の上面側から収納物を収納し、その後、箱体の上面と閉じるという箱詰め手順がとられる。これに対し、ネギ、蕗、ゴボウ等の長尺な作物やカーネーション等の花卉類の農作物の出荷用として使用される包装用箱では、まず箱体の上面側を閉じた後、底面側から出荷物を収納し、その後底面を閉じるという箱詰め手順がとられる。この場合に、箱体の底面側は、一対の側底フラップにステープルを打ち込んで固定することが多い。
【０００５】
ネギ等の生鮮野菜や花卉の出荷時の包装には、一般の生鮮野菜や生鮮果実等と同様に段ボール箱が使用される。ただしこの種の長尺産品の出荷に際しての段ボール箱包装において特異な点は、第一に、予め包装用箱の上面を閉じた状態で底面から収納物を包装用箱に収納した後、上面を閉じる点である。第二、収納物を収納した後閉じられる包装用箱の上面は、周囲の部分のみが覆われ、中央部分が開口された状態となる。これは長尺出荷物の特性を活かして市場での競り売り等での出荷物の確認を容易にするためである。
【０００６】
例えばこのような包装用箱の例としては、特開２００２−２８４１３８号に記載されたもの等がある。この従来の包装用箱は、箱体の側パネルの上辺から延設された側上フラップの両側に切込みを設けている。箱体の上面を閉じるためこの側上フラップを箱体の上面側に折り曲げ、さらに箱体の側パネルの上辺から延設された端上フラップのを箱体の上面側に折り曲げた後、端上フラップの両側角部を前記側上フラップの両側の切込みに差し込んで端上フラップを前記側上フラップに固定する。これにより、箱の上面を閉じた状態を維持する。
【０００７】
このような上面中央部が開いた箱体において最も問題となるのが、箱体上面でのフラップの固定状態の維持である。すなわち、この種の箱体では、上面中央部が開いており、箱体の周囲のみが閉じられ、フラップがそれらの端部のみで係止されることから、上面の封止構造が弱く、箱体の上面が開きやすい。
【特許文献１】特開２００２−２８４１３８号公報
【発明の開示】
【発明が解決しようとする課題】
【０００８】
本発明はこのような上面中央部が開いており、箱体の周囲のみが閉じられた従来の包装用箱における課題に鑑み、箱体上面でのフラップの固定状態の維持が確実に行われ、なお且つ箱体の組立が容易な包装用箱を提供することを目的とする。
【０００９】
本発明では、前記の目的を達成するため、検討した結果、上面中央部が開いた箱体の上面周囲部を閉じる上側フラップ４、４と端上フラップ５、５とを確実に連結するため、側上フラップ４、４の両端に設けたタブ８、８を端上フラップ５、５に設けた切込み９、９に差し込み、端上フラップ５、５から切込み９、９を切り出すことにより形成された押えタブ１１、１１で前記側上フラップ４、４のタブ８、８を箱体の内側で押えるようにした。
【００１０】
すなわち包装用箱は、箱体の対向する一対の側面を構成する側パネル１、１と、箱体の対向する一対の端面を構成する端パネル２、２とを有し、前記側パネル１、１から延設された側上フラップ４、４と前記端パネル２、２から延設された端上フラップ５、５とを箱体の上面側に折り曲げて箱体の上面の周囲の部分が閉じられると共に、これら側上フラップ４、４と前記端パネル２、２との間の箱体の上面中央部分が部分的に開いている。
【００１１】
本発明では、このような包装用箱において、端上フラップ５、５の両側に設けた切込み９、９に側上フラップ４、４の両端から延設したタブ８、８を挿入して端上フラップ５、５の両側に側上フラップ４、４の両端を固定し、端上フラップ５、５の切込み９、９を切り出すことにより設けた押えタブ１１、１１で前記側上フラップ４、４のタブ８、８を箱体の内側で押えている。
【００１２】
このような包装用箱では、端上フラップ５、５の両側に設けた切込み９、９に側上フラップ４、４の両端から延設したタブ８、８を挿入しただけでなく、さらに端上フラップ５、５の切込み９、９を切り出して設けた押えタブ１１、１１で前記側上フラップ４、４のタブ８、８を箱体の内側で押えているので、端上フラップ５、５の両側に側上フラップ４、４の両端を確実に固定することが出来る。
さらに、端上フラップ５、５の中央から延設された折り返しフラップ１０、１０を箱の内側に折り返し、この折り返しフラップ１０、１０で側上フラップ４、４のタブ８、８を箱体の内側で押えるようにすることにより、さらに確実な固定状態が得られる。
【発明を実施するための最良の形態】
【００１３】
本発明では、側上フラップ４、４の両端に設けたタブ８、８を端上フラップ５、５に設けた切込み９、９に差し込み、端上フラップ５、５から切込み９、９を切り出して設けた押えタブ１１、１１で前記側上フラップ４、４のタブ８、８を箱体の内側で押えることにより、上側フラップ４、４と端上フラップ５、５とを確実に連結するようにした。
以下、このような本発明の実施例について、図面を参照しながら具体例を挙げて詳細に説明する。
【実施例１】
【００１４】
図１は、本発明の一実施例による包装用箱のブランクの展開図である。この包装用箱のブランクは紙製の波状のシートからなる中芯をライナーでラミネートした段ボール板を使用する。段ボール板を図１に実線で示すように打ち抜くと共に、破線で示すように折線を入れることにより、組み立て前のブランクが出来上がる。破線で示した折線は何れも図１の紙面に対して同じ方向に折り曲げられる。
【００１５】
図１に示す包装用箱のブランクでは、矩形の側パネル１、１と端パネル２、２とが折線を介して交互に連なっている。それら側パネル１、１と端パネル２、２の高さ、すなわち図１において左右の寸法は何れも同じであり、２つの側パネル１、１と端パネル２、２の幅、すなわち図１において上下の寸法はそれぞれ等しい。側パネル１、１の幅は、端パネル２、２の幅より大きい。側パネル１、１と端パネル２、２の高さと幅は、その収納物に応じて決定されることは言うまでもない。
端にある側パネル１の側辺からは、折線を介して接合フラップ３が延設されている。この接合フラップ３の幅は、端パネル２に比べて十分に狭い。
【００１６】
側パネル１、１の上辺である折線からは、側上フラップ４、４が延設されている。この側上フラップ４、４の長さ、すなわち図１において上下の寸法は、側パネル１、１の幅より若干狭い。またこの側上フラップ４、４の高さ、すなわち図１において左右の寸法は、端パネル２の幅の１／２より十分小さい。
この側上フラップ４、４の両端部分には、箱体の上面の幅方向、すなわち図１において右方向にタブ８、８が一体に延設されている。このタブ８、８の基部近くには、側パネル１、１の上辺である破線で示した折線と平行に折線が設けられている。
【００１７】
端パネル２、２の上辺である折線からは端上フラップ５、５が延設されている。この端パネル２、２は、上下２段の部分からなっており、下段側が広く、上段側が狭くなっている。上段側は折り返しフラップ１０、１０となっている。この折り返しフラップ１０、１０の基部近くには、側上フラップ４、４と側パネル１、１との間の折線と平行に２本の折線が設けられている。折り返しフラップ１０、１０の先端側に近い折線には、折り曲げやすいように、その途中に２個所の切込みが設けられている。
【００１８】
この端上フラップ５、５の下段部の長さ、すなわち図１において上下の寸法は、端パネル２、２の幅より若干狭い。またこの端パネル２、２の下段部の高さ、すなわち下段部の図１において左右の寸法は、前記側上フラップ４、４の高さとほぼ同じである。この端パネル２、２の下段部の両側部分には、対向する一対のコ字形の切込み９、９が設けられている。この切込み９、９のコ字形に開いた部分は、端パネル２、２の両側に向いており、その部分に折線が設けられている。
他方、端パネル２、２の上段である折り返しフラップ１０、１０は下段部の中央にある。その上段である折り返しフラップ１０、１０の高さは、前記下段部の高さとほぼ同等かやや低い程度である。
【００１９】
側パネル１、１の下辺である折線からは、側底フラップ６、６が延設されている。この側底フラップ６、６の長さ、すなわち図１において上下の寸法は、側パネル１、１の幅より若干狭い。またこの側上底フラップ６、６の高さ、すなわち図１において左右の寸法は、端フラップ２の幅の約１／２である。
【００２０】
この側底フラップ６、６の両側部分には、同側底フラップ６、６の中心に対して対称に、且つ側パネル１、１の中央に向けて側パネル１、１の下辺である折線に対して斜め約４５度の角度で切込み１３、１３が設けられている。さらにこの切込み１３、１３の先端側は、４５゜の角度で回り込むように側底フラップ６、６の両端側に向けて延びている。
【００２１】
この切込み１３、１３より側底フラップ６、６の両端側に寄った位置に、側パネル１、１の下辺である折線を起点として、同折線と直角にもう一対ずつの切込みが設けられている。この切込みと前記斜め４５゜の切込み１３、１３との間には、側パネル１、１の下辺である折線に近い側と遠い側とに、それぞれ折線が設けられている。これら折線は、側パネル１、１の下辺である折線と平行である。
【００２２】
端パネル２、２の下辺である折線からは、端底フラップ７、７が延設されている。この端底フラップ７、７の長さ、すなわち図１において上下の寸法は、端パネル２、２の幅より若干狭く、またその高さ、すなわち図１において左右の寸法は、前記側底フラップ６、６と同じである。
【００２３】
この端底フラップ７、７の先端両側の角部は切り取られ、大きな面取りが施されている。この端底フラップ７、７の基部側、すなわち端パネル２、２の下辺である折線に近い側に同折線と平行に折線が設けられている。また、端底フラップ７、７の先端辺の中央には、指を掛けやすいように、半円弧状の切欠きが設けられている。
【００２４】
このようなブランクから包装用箱は次のようにして組み立てられ、その中に収納物が収納される。
まず、図２に示すように、側パネル１、１、端パネル２、２及び接合フラップ３の間にある折線を何れも９０゜の角度で谷折りする。さらに、接合フラップ３の外側面に糊を塗布し、この接合フラップ３の外側面を端パネル２の端縁部の内面に貼り付ける。これにより、図２に示すような側パネル１、１と端パネル２、２が交互に連なった四角筒状の胴部が形成される。
【００２５】
次に、図２に示すように、箱体の上面を上側にして、まず端上フラップ５、５をそれらの下辺の折線でそれぞれ箱体の上面内側に向けて約９０゜の角度で折り曲げる。その後、図３に示すように、側上フラップ４、４をそれらの下辺の折線でそれぞれ箱体の上面内側に向けて約９０゜の角度で折り曲げる。この側上フラップ４、４の折り曲げに際しては、図３に示すように、側上フラップ４、４の両側のタブ８、８を端上フラップ５、５の基部の切込み９、９から側端フラップ５、５の内側に差し込む。
【００２６】
次に、図４に示すように、箱体の上面を下側にし、箱体の内側が見えるようにする。図４は、箱体の一方の端部の内側の上面側を示している。この部分において、図４（ａ）に示すように、端上フラップ５の先端側の折り返しフラップ１０が展開した状態から、図４（ｂ）に示すように折り返しフラップ１０をその２本の折線で内側に折り返し、この折り返しフラップ１０を箱体の内側に折り曲げる。これにより、折り返しフラップ１０を端上フラップ５、５の基部の切込み９、９から側端フラップ５、５の内側に差し込んだ側上フラップ４、４のタブ８、８の上に載せて押さえる。さらに、押えタブ１１、１１を内側に折り曲げ、これを折り返しフラップ１０の両側に載せる。この状態では、側上フラップ４、４のタブ８、８は、端上フラップ５の折り返しフラップ１０と切込み９、９により切り出された押えタブ１１、１１と押えられて保持される。箱体の他方の端部側でも同様にする。
この状態で図３に示したように、側上フラップ４、４と端上フラップ５、５との両端部が互いに連結され、且つその状態が維持、固定される。
【００２７】
なお、側上フラップ４、４の高さは、端パネル２、２の幅の１／２より小さく、端上フラップ５、５の高さは、側パネル１、１の長さの１／２より相当に小さいため、側上フラップ４、４と端上フラップ５、５とにより箱体の上面が閉じられたと言えども、これら側上フラップ４、４と端上フラップ５、５とに囲まれた箱体の上面中央部には、窓状の開口部が形成される。
【００２８】
このようにして箱体の上面が閉じられたら、箱体の底面側を上に向けた状態で箱体の中に長ネギ等の収納物を収納する。
箱体の中に収納物を収納した後、図５に示すように、側底フラップ６、６をその上辺である折線で箱体の底面内側に向けて約９０゜の角度で折り曲げ、箱体の上面の一部を閉じる。その後、図５に示すように、端底フラップ７、７をそれらの上辺の折線でそれぞれ箱体の底面内側に向けて約９０゜の角度で折り曲げる。この端底フラップ７、７の折り曲げに際しては、図５に示すように、端底フラップ７、７の両側先端角部を側底フラップ６、６の両側の切込み１３、１３から側底フラップ６、６の内側に差し込む。これにより、図５に示したように、側底フラップ６、６と端底フラップ７、７とが互いに連結され、且つこれら側底フラップ５、５と端底フラップ７、７とにより箱体の底面が閉じられる。
その後箱体を上下反転し、中央部が開口した箱体の上面を上に向けた状態で、収納物を収納した箱体が出荷のため搬送される。
【００２９】
図６は、箱体の一方の端部の内側の上面側において、タブ８、８と折り返しフラップ１０の折り方を変形した例である。すなわち、端上フラップ５、５の切込み９、９に側上フラップ４、４のタブ８、８を差し込んだ後、これを箱体の両側に折り返す。その後、端上フラップ５の先端側の折り返しフラップ１０をその２本の折線で内側に折り返し、図６に示すようにこの折り返しフラップ１０をタブ８、８の基部の間に挿入し、そのタブ８、８が戻るのを押さえる。これにより、側上フラップ４、４のタブ８、８は、切込み９、９により切り出された押えタブ１１、１１と端上フラップ５の折り返しフラップ１０とで挟み込まれて保持される。箱体の他方の端部側でも同様にする。
このように図１〜図６に示した実施例による包装用箱は、タブ８、８と折り返しフラップ１０の折り方として、図４と図６の何れの形態でも使用することが出来る。
【実施例２】
【００３０】
図７〜図１１に示した包装用箱は、前述の実施例による包装用箱と基本的に同じであるが、この実施例では、図１０と図１１に示すように、折り返しフラップ１０を折り返した時に、その折り返しフラップ１０が固定されるようにした。そのために、図７〜図９に示すように、折り返しフラップ１０の先端に突起１５、１５を設け、端パネル１、１の下部に、前記の突起１５、１５を差し込むスリット１４、１４を設けている。それ以外は、図１〜図６により前述した実施例１の包装用箱と同じである。
【００３１】
図１０と図１１は、箱体の一方の端部において折り返しフラップ１０の突起１５を端パネル１のスリット１４に嵌め込んだ状態を示す。
図１０は、端上フラップ５、５の切込み９、９に側上フラップ４、４のタブ８、８を差し込んだ後、端上フラップ５の先端側の折り返しフラップ１０をその２本の折線で内側に折り返し、この折り返しフラップ１０をタブ８、８の上の載せて押さえた例である。折り返しフラップ１０の突起１５を端パネル１のスリット１４に嵌め込み、タブ８、８を上から押さえて保持する。
【００３２】
また図１１は、端上フラップ５、５の切込み９、９に側上フラップ４、４のタブ８、８を差し込んだ後、そのタブ８、８これを箱体の両側に折り返し、その後、端上フラップ５の先端側の折り返しフラップ１０をその２本の折線で内側に折り返し、タブ８、８の基部の間に挿入した例である。やはり折り返しフラップ１０の突起１５を端パネル１のスリット１４に嵌め込み、タブ８、８が戻るのを押さえる。
【図面の簡単な説明】
【００３３】
【図１】本発明の一実施例によるトレイ形包装用箱を組み立てる前のブランクを示す展開図である。
【図２】同実施例によるトレイ形包装用箱の上面を閉じる途中の状態を示す斜視図である。
【図３】同実施例によるトレイ形包装用箱の上面を閉じた状態を示す斜視図である。
【図４】同実施例によるトレイ形包装用箱の上面の端部内側を固定する手順を示す要部斜視図である。
【図５】同実施例によるトレイ形包装用箱を底面を閉じた状態を示す下から見た斜視図である。
【図６】同実施例によるトレイ形包装用箱の上面の端部内側を固定した他の例を示す要部斜視図である。
【図７】本発明の他の実施例によるトレイ形包装用箱を組み立てる前のブランクを示す展開図である。
【図８】同実施例によるトレイ形包装用箱の上面を閉じる途中の状態を示す斜視図である。
【図９】同実施例によるトレイ形包装用箱の上面を閉じた状態を示す斜視図である。
【図１０】同実施例によるトレイ形包装用箱の上面の端部内側を固定した状態を示す要部斜視図である。
【図１１】同実施例によるトレイ形包装用箱の上面の端部内側を固定した他の例を示す要部斜視図である。
【符号の説明】
【００３４】
１    側パネル
２    端パネル
４    側上フラップ
５    端上フラップ
８    側上フラップのタブ
９    端上フラップの切込み
１０  折り返しフラップ
１１  押えタブ
【図１】
2006021807.tif 000003
【図２】
2006021807.tif 000004
【図３】
2006021807.tif 000005
【図４】
2006021807.tif 000006
【図５】
2006021807.tif 000007
【図６】
2006021807.tif 000008
【図７】
2006021807.tif 000009
【図８】
2006021807.tif 000010
【図９】
2006021807.tif 000011
【図１０】
2006021807.tif 000012
【図１１】
2006021807.tif 000013
【手続補正書】
【提出日】平成16年10月28日(2004.10.28)
【手続補正１】
【補正対象書類名】特許請求の範囲
【補正対象項目名】請求項１
【補正方法】変更
【補正の内容】
【請求項１】
箱体の対向する一対の側面を構成する側パネル（１）、（１）と、箱体の対向する一対の端面を構成する端パネル（２）、（２）とを有し、前記側パネル（１）、（１）から延設された側上フラップ（４）、（４）と前記端パネル（２）、（２）から延設された端上フラップ（５）、（５）とを箱体の上面側に折り曲げて箱体の上面の周囲の部分が閉じられると共に、これら側上フラップ（４）、（４）と端上フラップ（５）、（５）との間の箱体の上面中央部分が部分的に開いている包装用箱において、端上フラップ（５）、（５）の両側に設けた切込み（９）、（９）に側上フラップ（４）、（４）の両端から延設したタブ（８）、（８）を挿入して端上フラップ（５）、（５）の両側に側上フラップ（４）、（４）の両端を固定し、端上フラップ（５）、（５）の切込み（９）、（９）により切り出した部分に設けた押えタブ（１１）、（１１）で前記側上フラップ（４）、（４）のタブ（８）、（８）を箱体の内側で押えることを特徴とする包装用箱。
【手続補正２】
【補正対象書類名】明細書
【補正対象項目名】全文
【補正方法】変更
【補正の内容】
【発明の詳細な説明】
【技術分野】
【０００１】
本発明は、箱体の対向する一対の側面を構成する側パネルと、箱体の対向する一対の端面を構成する端パネルとを有し、前記側パネルから延設された側上フラップと前記端パネルから延設された端上フラップとを箱体の上面側に折り曲げて箱体の上面が閉じられる包装用箱に関し、特に前記側上フラップと前記端パネルとの間の箱体の上面中央部分が部分的に開いている包装用箱に関する。
【背景技術】
【０００２】
従来におけるこの種の包装用箱のブランクは、段ボール板を打ち抜くと共に折線を入れて作られている。このブランクにおいては、一対の側パネルと端パネルとが折線を介して交互に連ねられている。また、側パネルと端パネルの上下の辺は折線となっており、その折線から箱体の上面と底面を閉じる上下のフラップが延設されている。
【０００３】
このような包装用箱において、箱体の底面側は、端パネルの下辺側の折線から延設された端底フラップと側パネルの下辺側の折線から延設された側底フラップとを順次箱体の上面側に折り曲げ、それら端底フラップと側底フラップとをフラップ同士の係合、接着、或いはステープル止め等の手段で固定する。また、箱体の上面側も同様で、端パネルの上辺側の折線から延設された端上フラップと側パネルの上辺側の折線から延設された側上フラップとを順次箱体の上面側に折り曲げ、それら端上フラップと側上フラップとを互いに固定して閉じる。
【０００４】
このような包装用箱では、通常は箱体の底面を閉じた状態で箱体の上面側から収納物を収納し、その後、箱体の上面と閉じるという箱詰め手順がとられる。これに対し、ネギ、蕗、ゴボウ等の長尺な作物やカーネーション等の花卉類の農作物の出荷用として使用される包装用箱では、まず箱体の上面側を閉じた後、底面側から出荷物を収納し、その後底面を閉じるという箱詰め手順がとられる。この場合に、箱体の底面側は、一対の側底フラップにステープルを打ち込んで固定することが多い。
【０００５】
ネギ等の生鮮野菜や花卉の出荷時の包装には、一般の生鮮野菜や生鮮果実等と同様に段ボール箱が使用される。ただしこの種の長尺産品の出荷に際しての段ボール箱包装において特異な点は、第一に、予め包装用箱の上面を閉じた状態で底面から収納物を包装用箱に収納した後、上面を閉じる点である。第二、収納物を収納した後閉じられる包装用箱の上面は、周囲の部分のみが覆われ、中央部分が開口された状態となる。これは長尺出荷物の特性を活かして市場での競り売り等での出荷物の確認を容易にするためである。
【０００６】
例えばこのような包装用箱の例としては、特開２００２−２８４１３８号に記載されたもの等がある。この従来の包装用箱は、箱体の側パネルの上辺から延設された側上フラップの両側に切込みを設けている。箱体の上面を閉じるためこの側上フラップを箱体の上面側に折り曲げ、さらに箱体の側パネルの上辺から延設された端上フラップのを箱体の上面側に折り曲げた後、端上フラップの両側角部を前記側上フラップの両側の切込みに差し込んで端上フラップを前記側上フラップに固定する。これにより、箱の上面を閉じた状態を維持する。
【０００７】
このような上面中央部が開いた箱体において最も問題となるのが、箱体上面でのフラップの固定状態の維持である。すなわち、この種の箱体では、上面中央部が開いており、箱体の周囲のみが閉じられ、フラップがそれらの端部のみで係止されることから、上面の封止構造が弱く、箱体の上面が開きやすい。
【特許文献１】特開２００２−２８４１３８号公報
【発明の開示】
【発明が解決しようとする課題】
【０００８】
本発明はこのような上面中央部が開いており、箱体の周囲のみが閉じられた従来の包装用箱における課題に鑑み、箱体上面でのフラップの固定状態の維持が確実に行われ、なお且つ箱体の組立が容易な包装用箱を提供することを目的とする。
【課題を解決するための手段】
【０００９】
本発明では、前記の目的を達成するため、検討した結果、上面中央部が開いた箱体の上面周囲部を閉じる側上フラップ４、４と端上フラップ５、５とを確実に連結するため、側上フラップ４、４の両端に設けたタブ８、８を端上フラップ５、５に設けた切込み９、９に差し込み、端上フラップ５、５から切込み９、９を切り出すことにより形成された押えタブ１１、１１で前記側上フラップ４、４のタブ８、８を箱体の内側で押えるようにした。
【００１０】
すなわち包装用箱は、箱体の対向する一対の側面を構成する側パネル１、１と、箱体の対向する一対の端面を構成する端パネル２、２とを有し、前記側パネル１、１から延設された側上フラップ４、４と前記端パネル２、２から延設された端上フラップ５、５とを箱体の上面側に折り曲げて箱体の上面の周囲の部分が閉じられると共に、これら側上フラップ４、４と端上フラップ５、５との間の箱体の上面中央部分が部分的に開いている。
【００１１】
本発明では、このような包装用箱において、端上フラップ５、５の両側に設けた切込み９、９に側上フラップ４、４の両端から延設したタブ８、８を挿入して端上フラップ５、５の両側に側上フラップ４、４の両端を固定し、端上フラップ５、５の切込み９、９を切り出すことにより設けた押えタブ１１、１１で前記側上フラップ４、４のタブ８、８を箱体の内側で押えている。
【００１２】
このような包装用箱では、端上フラップ５、５の両側に設けた切込み９、９に側上フラップ４、４の両端から延設したタブ８、８を挿入しただけでなく、さらに端上フラップ５、５の切込み９、９を切り出して設けた押えタブ１１、１１で前記側上フラップ４、４のタブ８、８を箱体の内側で押えているので、端上フラップ５、５の両側に側上フラップ４、４の両端を確実に固定することが出来る。
さらに、端上フラップ５、５の中央から延設された折り返しフラップ１０、１０を箱の内側に折り返し、この折り返しフラップ１０、１０で側上フラップ４、４のタブ８、８を箱体の内側で押えるようにすることにより、さらに確実な固定状態が得られる。
【発明を実施するための最良の形態】
【００１３】
本発明では、側上フラップ４、４の両端に設けたタブ８、８を端上フラップ５、５に設けた切込み９、９に差し込み、端上フラップ５、５から切込み９、９を切り出して設けた押えタブ１１、１１で前記側上フラップ４、４のタブ８、８を箱体の内側で押えることにより、側上フラップ４、４と端上フラップ５、５とを確実に連結するようにした。
以下、このような本発明の実施例について、図面を参照しながら具体例を挙げて詳細に説明する。
【実施例１】
【００１４】
図１は、本発明の一実施例による包装用箱のブランクの展開図である。この包装用箱のブランクは紙製の波状のシートからなる中芯をライナーでラミネートした段ボール板を使用する。段ボール板を図１に実線で示すように打ち抜くと共に、破線で示すように折線を入れることにより、組み立て前のブランクが出来上がる。破線で示した折線は何れも図１の紙面に対して同じ方向に折り曲げられる。
【００１５】
図１に示す包装用箱のブランクでは、矩形の側パネル１、１と端パネル２、２とが折線を介して交互に連なっている。それら側パネル１、１と端パネル２、２の高さ、すなわち図１において左右の寸法は何れも同じであり、２つの側パネル１、１と端パネル２、２の幅、すなわち図１において上下の寸法はそれぞれ等しい。側パネル１、１の幅は、端パネル２、２の幅より大きい。側パネル１、１と端パネル２、２の高さと幅は、その収納物に応じて決定されることは言うまでもない。
端にある側パネル１の側辺からは、折線を介して接合フラップ３が延設されている。この接合フラップ３の幅は、端パネル２に比べて十分に狭い。
【００１６】
側パネル１、１の上辺である折線からは、側上フラップ４、４が延設されている。この側上フラップ４、４の幅、すなわち図１において上下の寸法は、側パネル１、１の幅より若干狭い。またこの側上フラップ４、４の高さ、すなわち図１において左右の寸法は、端パネル２の幅の１／２より十分小さい。
この側上フラップ４、４の両端部分には、箱体の上面の幅方向、すなわち図１において右方向にタブ８、８が一体に延設されている。このタブ８、８の基部近くには、側パネル１、１の上辺である破線で示した折線と平行に折線が設けられている。
【００１７】
端パネル２、２の上辺である折線からは端上フラップ５、５が延設されている。この端上フラップ５、５は、上下２段の部分からなっており、下段側が広く、上段側が狭くなっている。上段側は折り返しフラップ１０、１０となっている。この折り返しフラップ１０、１０の基部近くには、端上フラップ５、５と端パネル２、２との間の折線と平行に２本の折線が設けられている。折り返しフラップ１０、１０の先端側に近い折線には、折り曲げやすいように、その途中に２個所の切込みが設けられている。
【００１８】
この端上フラップ５、５の下段部の幅、すなわち図１において上下の寸法は、端パネル２、２の幅より若干狭い。またこの端上フラップ５、５の下段部の高さ、すなわち下段部の図１において左右の寸法は、前記側上フラップ４、４の高さとほぼ同じである。この端上フラップ５、５の下段部の両側部分には、一対のコ字形の切込み９、９が設けられている。この切込み９、９のコ字形に開いた部分は、端パネル２、２の両側に向いており、その部分に折線が設けられている。
他方、端上フラップ５、５の上段である折り返しフラップ１０、１０は下段部の中央にある。その上段である折り返しフラップ１０、１０の高さは、前記下段部の高さとほぼ同等かやや低い程度である。
【００１９】
側パネル１、１の下辺である折線からは、側底フラップ６、６が延設されている。この側底フラップ６、６の幅、すなわち図１において上下の寸法は、側パネル１、１の幅より若干狭い。またこの側底フラップ６、６の高さ、すなわち図１において左右の寸法は、端フラップ２の幅の約１／２である。
【００２０】
この側底フラップ６、６の両側部分には、同側底フラップ６、６の中心に対して対称に側パネル１、１の下辺である折線を起点として、同折線と直角に切込み１３、１３が設けられている。この切込み１３，１３の先の部分は、側パネル１、１の中央に向けて側パネル１、１の下辺である折線に対して斜め約４５゜の角度で切り込まれている。さらにこの切込み１３、１３の先端側は、４５゜の角度で回り込むように側底フラップ６、６の両端側に向けて延びている。
【００２１】
この切込み１３、１３より側底フラップ６、６の両端側に寄った位置に、側パネル１、１の下辺である折線を起点として、同折線と直角にもう一対ずつの切込みが設けられている。この切込みと前記斜め４５゜の切込み１３、１３との間には、側パネル１、１の下辺である折線に近い側に切込み線が、また側パネル１、１の下辺である折線と遠い側に折線が設けられている。これら切込み線と折線は、側パネル１、１の下辺である折線と平行である。
【００２２】
端パネル２、２の下辺である折線からは、端底フラップ７、７が延設されている。この端底フラップ７、７の幅、すなわち図１において上下の寸法は、端パネル２、２の幅より若干狭く、またその高さ、すなわち図１において左右の寸法は、前記側底フラップ６、６と同じである。
【００２３】
この端底フラップ７、７の先端両側の角部は切り取られ、大きな面取りが施されている。この端底フラップ７、７の基部側、すなわち端パネル２、２の下辺である折線に近い側に同折線と平行に折線が設けられている。また、端底フラップ７、７の先端辺の中央には、指を掛けやすいように、半円弧状の切欠きが設けられている。
【００２４】
このようなブランクから包装用箱は次のようにして組み立てられ、その中に収納物が収納される。
まず、図２に示すように、側パネル１、１、端パネル２、２及び接合フラップ３の間にある折線を何れも９０゜の角度で谷折りする。さらに、接合フラップ３の外側面に糊を塗布し、この接合フラップ３の外側面を端パネル２の端縁部の内面に貼り付ける。これにより、図２に示すような側パネル１、１と端パネル２、２が交互に連なった四角筒状の胴部が形成される。
【００２５】
次に、図２に示すように、箱体の上面を上側にして、まず端上フラップ５、５をそれらの下辺の折線でそれぞれ箱体の上面内側に向けて約９０゜の角度で折り曲げる。その後、図３に示すように、側上フラップ４、４をそれらの下辺の折線でそれぞれ箱体の上面内側に向けて約９０゜の角度で折り曲げる。この側上フラップ４、４の折り曲げに際しては、図３に示すように、側上フラップ４、４の両側のタブ８、８を端上フラップ５、５の基部の切込み９、９から側端フラップ５、５の内側に差し込む。
【００２６】
次に、図４に示すように、箱体の上面を下側にし、箱体の内側が見えるようにする。図４は、箱体の一方の端部の内側の上面側を示している。この部分において、図４（ａ）に示すように、端上フラップ５の先端側の折り返しフラップ１０が展開した状態から、図４（ｂ）に示すように折り返しフラップ１０をその２本の折線で内側に折り返し、この折り返しフラップ１０を箱体の内側に折り曲げる。これにより、折り返しフラップ１０を端上フラップ５、５の基部の切込み９、９から側端フラップ５、５の内側に差し込んだ側上フラップ４、４のタブ８、８の上に載せて押さえる。さらに、押えタブ１１、１１を内側に折り曲げ、これを折り返しフラップ１０の両側に載せる。この状態では、側上フラップ４、４のタブ８、８は、端上フラップ５の折り返しフラップ１０と切込み９、９により切り出された押えタブ１１、１１と押えられて保持される。箱体の他方の端部側でも同様にする。
この状態で図３に示したように、側上フラップ４、４と端上フラップ５、５との両端部が互いに連結され、且つその状態が維持、固定される。
【００２７】
なお、側上フラップ４、４の高さは、端パネル２、２の幅の１／２より小さく、端上フラップ５、５の高さは、側パネル１、１の幅の１／２より相当に小さいため、側上フラップ４、４と端上フラップ５、５とにより箱体の上面が閉じられたと言えども、これら側上フラップ４、４と端上フラップ５、５とに囲まれた箱体の上面中央部には、窓状の開口部が形成される。
【００２８】
このようにして箱体の上面が閉じられたら、箱体の底面側を上に向けた状態で箱体の中に長ネギ等の収納物を収納する。
箱体の中に収納物を収納した後、図５に示すように、側底フラップ６、６をその上辺である折線で箱体の底面内側に向けて約９０゜の角度で折り曲げ、箱体の底面を覆うようにする。その後、図５に示すように、端底フラップ７、７をそれらの上辺の折線でそれぞれ箱体の底面内側に向けて約９０゜の角度で折り曲げる。この端底フラップ７、７の折り曲げに際しては、図５に示すように、端底フラップ７、７の両側先端角部を側底フラップ６、６の両側の切込み１３、１３から側底フラップ６、６の内側に差し込む。これにより、図５に示したように、側底フラップ６、６と端底フラップ７、７とが互いに連結され、且つこれら側底フラップ５、５と端底フラップ７、７とにより箱体の底面が閉じられる。
その後箱体を上下反転し、中央部が開口した箱体の上面を上に向けた状態で、収納物を収納した箱体が出荷のため搬送される。
【００２９】
図６は、箱体の一方の端部の内側の上面側において、タブ８、８と折り返しフラップ１０の折り方を変形した例である。すなわち、端上フラップ５、５の切込み９、９に側上フラップ４、４のタブ８、８を差し込んだ後、これを端上フラップ５、５の両側に折り返す。その後、端上フラップ５の先端側の折り返しフラップ１０をその２本の折線で内側に折り返し、図６に示すようにこの折り返しフラップ１０をタブ８、８の基部の間に挿入し、そのタブ８、８が戻るのを押さえる。これにより、側上フラップ４、４のタブ８、８は、切込み９、９により切り出された押えタブ１１、１１と端上フラップ５の折り返しフラップ１０とで挟み込まれて保持される。箱体の他方の端部側でも同様にする。
このように図１〜図６に示した実施例による包装用箱は、タブ８、８と折り返しフラップ１０の折り方として、図４と図６の何れの形態でも使用することが出来る。
【実施例２】
【００３０】
図７〜図１１に示した包装用箱は、前述の実施例による包装用箱と基本的に同じであるが、この実施例では、図１０と図１１に示すように、折り返しフラップ１０を折り返した時に、その折り返しフラップ１０が固定されるようにした。そのために、図７〜図９に示すように、折り返しフラップ１０の先端に突起１５、１５を設け、端パネル２、２の下部に、前記の突起１５、１５を差し込むスリット１４、１４を設けている。それ以外は、図１〜図６により前述した実施例１の包装用箱と同じである。
【００３１】
図１０と図１１は、箱体の一方の端部において折り返しフラップ１０の突起１５を端パネル２のスリット１４に嵌め込んだ状態を示す。
図１０は、端上フラップ５、５の切込み９、９に側上フラップ４、４のタブ８、８を差し込んだ後、端上フラップ５の先端側の折り返しフラップ１０をその２本の折線で内側に折り返し、この折り返しフラップ１０をタブ８、８の上の載せて押さえた例である。折り返しフラップ１０の突起１５を端パネル２のスリット１４に嵌め込み、タブ８、８を上から押さえて保持する。
【００３２】
また図１１は、端上フラップ５、５の切込み９、９に側上フラップ４、４のタブ８、８を差し込んだ後、そのタブ８、８これを箱体の両側に折り返し、その後、端上フラップ５の先端側の折り返しフラップ１０をその２本の折線で内側に折り返し、タブ８、８の基部の間に挿入した例である。やはり折り返しフラップ１０の突起１５を端パネル２のスリット１４に嵌め込み、タブ８、８が戻るのを押さえる。
【図面の簡単な説明】
【００３３】
【図１】本発明の一実施例によるトレイ形包装用箱を組み立てる前のブランクを示す展開図である。
【図２】同実施例によるトレイ形包装用箱の上面を閉じる途中の状態を示す斜視図である。
【図３】同実施例によるトレイ形包装用箱の上面を閉じた状態を示す斜視図である。
【図４】同実施例によるトレイ形包装用箱の上面の端部内側を固定する手順を示す要部斜視図である。
【図５】同実施例によるトレイ形包装用箱を底面を閉じた状態を示す下から見た斜視図である。
【図６】同実施例によるトレイ形包装用箱の上面の端部内側を固定した他の例を示す要部斜視図である。
【図７】本発明の他の実施例によるトレイ形包装用箱を組み立てる前のブランクを示す展開図である。
【図８】同実施例によるトレイ形包装用箱の上面を閉じる途中の状態を示す斜視図である。
【図９】同実施例によるトレイ形包装用箱の上面を閉じた状態を示す斜視図である。
【図１０】同実施例によるトレイ形包装用箱の上面の端部内側を固定した状態を示す要部斜視図である。
【図１１】同実施例によるトレイ形包装用箱の上面の端部内側を固定した他の例を示す要部斜視図である。
【符号の説明】
【００３４】
１    側パネル
２    端パネル
４    側上フラップ
５    端上フラップ
８    側上フラップのタブ
９    端上フラップの切込み
１０  折り返しフラップ
１１  押えタブ
【手続補正３】
【補正対象書類名】図面
【補正対象項目名】図２
【補正方法】変更
【補正の内容】
【図２】
2006021807.tif 000014
【手続補正４】
【補正対象書類名】図面
【補正対象項目名】図３
【補正方法】変更
【補正の内容】
【図３】
2006021807.tif 000015
【手続補正５】
【補正対象書類名】図面
【補正対象項目名】図４
【補正方法】変更
【補正の内容】
【図４】
2006021807.tif 000016
【手続補正６】
【補正対象書類名】図面
【補正対象項目名】図５
【補正方法】変更
【補正の内容】
【図５】
2006021807.tif 000017
【手続補正７】
【補正対象書類名】図面
【補正対象項目名】図６
【補正方法】変更
【補正の内容】
【図６】
2006021807.tif 000018
【手続補正８】
【補正対象書類名】図面
【補正対象項目名】図７
【補正方法】変更
【補正の内容】
【図７】
2006021807.tif 000019
【手続補正９】
【補正対象書類名】図面
【補正対象項目名】図８
【補正方法】変更
【補正の内容】
【図８】
2006021807.tif 000020
【手続補正１０】
【補正対象書類名】図面
【補正対象項目名】図９
【補正方法】変更
【補正の内容】
【図９】
2006021807.tif 000021
【手続補正１１】
【補正対象書類名】図面
【補正対象項目名】図１０
【補正方法】変更
【補正の内容】
【図１０】
2006021807.tif 000022
【手続補正１２】
【補正対象書類名】図面
【補正対象項目名】図１１
【補正方法】変更
【補正の内容】
【図１１】
2006021807.tif 000023